(57)【要約】【課題】交通騒音のような周囲騒音は、音声伝達情報と干渉する可能性がある。また、音声伝達情報は、市街地における騒音公害を引き起こすという課題を有する。【解決手段】音声情報化方法であって、情報が超音波信号の形式で公共の場で配信され、前記超音波信号が、前記公共の場にある携帯電話(7)によって、この携帯電話のマイクを使用して取得され、かつ前記携帯電話は、前記超音波信号を音声情報に変換し、かつ前記音声情報をユーザ(P)に出力する。【選択図】図１
2014217068.tif 000002
【特許請求の範囲】
【請求項１】
音声情報化方法であって、
情報が、超音波信号の形式で配信される、配信ステップと、
携帯電話のマイク(10)を使用して、前記超音波信号が、前記携帯電話(7)によって取得される、受信ステップと、
前記超音波信号が、前記携帯電話(7)によって人間の言語の音声情報に変換され、かつ、前記音声情報が、前記携帯電話の一部である音響変換器(12)によって出力される、情報化ステップと
を含む音声情報化方法。
【請求項２】
前記情報化ステップの間、前記情報が、前記携帯電話の一部であるスピーカ(12)によって出力される、請求項１に記載の方法。
【請求項３】
前記情報化ステップの間、前記携帯電話(7)が、まずベル音を発し又は振動し、ついで、前記携帯電話がユーザによって応答されるとすぐに前記音声情報が出力される、請求項１又は２に記載の方法。
【請求項４】
前記情報化ステップの間、前記音声情報は、前記ユーザによって開始された行為に応じて出力される、請求項１又は２に記載の方法。
【請求項５】
前記配信ステップの間、前記情報は、デジタル処理で符号化された超音波信号の形式で配信され、かつ、
前記情報化ステップの間、前記超音波信号が復号化される、請求項１〜４のいずれか一項に記載の方法。
【請求項６】
前記配信ステップの間、超音波信号形式の複数の情報が存在し、かつ、
前記情報化ステップの間、前記ユーザは、前記ユーザが聞きたい前記情報を選択する、請求項１〜５のいずれか一項に記載の方法。
【請求項７】
前記配信ステップの間、前記情報がバス停(1)で配信され、かつ、前記情報が少なくとも入来するバスの到着に関する、請求項１〜６のいずれか一項に記載の方法。
【請求項８】
音声情報化システムにおいて、
超音波信号の形式で情報を配信するように適合された電気配信デバイス(8, 6)と、
前記超音波信号を取得するように適合されたマイク(10)と、前記超音波信号を音声情報に変換するとともに、前記携帯電話の一部である音響変換器(12)によって前記音声情報を出力するように適合された電気処理ユニット(11)とを有する少なくとも一つの携帯電話と
を具備する音声情報化システム。
【発明の詳細な説明】
【技術分野】
【０００１】
本発明は、音声情報化システム及び方法に関し、特に目視で見ることができない情報についての音声情報化システム及び方法に関する。
【背景技術】
【０００２】
特許文献１は、上記のような方法の実施例を記載しており、ステーションに到着する次のバスについての情報が、バス停で待っている旅客に音声で伝えられる。
【先行技術文献】
【特許文献】
【０００３】
【特許文献１】仏国特許出願公開第2880459号明細書
【発明の概要】
【発明が解決しようとする課題】
【０００４】
この従来の方法は満足のいくものであるが、交通騒音のような周囲騒音は、音声伝達情報と干渉する可能性があり、かつ、情報の音声伝達は市街地において騒音公害を引き起こすという課題を有する。
本発明は、これらの課題を解決することを目的とする。
【課題を解決するための手段】
【０００５】
本発明において、問題となっている種類の方法は、以下のステップを含み、
情報が、超音波信号の形式で配信される配信ステップと、
携帯電話のマイクを使用して、前記超音波信号が、前記携帯電話によって取得される、受信ステップと、
前記超音波信号が、前記携帯電話によって人間の言語の音声情報に変換され、かつ、前記音声情報が、前記携帯電話の一部である音響変換器(12)によって出力される、情報化ステップと
を含む。
【０００６】
これらの構成を介して、前記情報は、騒音公害を発生させず、かつ周囲騒音からの干渉を受けずに配信される。前記情報は、ついでユーザの携帯電話によって直接的に音声メッセージに変換され、それによって、可能と考えられる最良品質で音声メッセージが配信される。さらに、この超音波配信方法は、前記情報が前記携帯電話によって難なく受信されることができ、かつ、特に前記情報を配信する機器と、前記携帯電話との間の通信を確立することにおいて殆ど問題がない(この通信モードは、近距離無線通信よりもこの点でずっと単純で信頼性が高い)。
【０００７】
本発明の様々な方法の実施形態において、以下の１又は２以上の構成が任意に使用されてもよく、
情報化ステップの間、前記情報が、前記携帯電話の一部であるスピーカによって出力されること、
前記情報化ステップの間、前記携帯電話が、まずベル音を発し又は振動し、ついで、前記携帯電話がユーザによって応答されるとすぐに前記音声情報が出力されること、
前記情報化ステップの間、前記音声情報は、前記ユーザによって開始された行為に応じて出力されること（例えば、アプリケーションの起動）、
前記配信ステップの間、前記情報は、デジタルで符号化された超音波信号の形式で配信され、かつ、前記情報化ステップの間、前記超音波信号が復号化されること、
前記配信ステップの間、超音波信号形式の複数の情報が存在することと、前記情報化ステップの間、前記ユーザはユーザが聞きたい情報を選択すること、
前記配信ステップの間、前記情報がバス停で配信され、かつ、前記情報が少なくとも入来するバスの到着に関すること
が使用されてもよい。
【０００８】
本発明はまた、音声情報化システムに関し、
超音波信号の形式で情報を配信するように適合された電気配信デバイスと、
前記超音波信号を取得するように適合されたマイクと、前記超音波信号を人間の言語の音声情報に変換するとともに、前記携帯電話の一部である音響変換器によって前記音声情報を出力するように適合された電気処理ユニットとを有する少なくとも一つの携帯電話と
を具備する音声情報化システムに関する。
【０００９】
本発明の他の特徴及び利点は、その実施形態の一つの以下の説明から明らかになり、非限定的な実施例を用いて、添付図面を参照しながら説明する。
【図面の簡単な説明】
【００１０】
【図１】本発明が実施されるバス停の斜視図である。
【図２】図１のバス停において、ユーザの携帯電話と協働して使用される電気デバイスを説明するブロック図である。  それぞれの図面において、同一の参照符号は、同一又は類似の構成要素を意味する。
【発明を実施するための形態】
【００１１】
図１は、例えばバス停のような、公共交通ネットワークの一部であるステーション１を示している。上記の記載は、バスのための実施例について言及しているだけであるが、本発明は、例えば、列車、地下鉄、又は路面電車のような公共交通の他のタイプに応用可能である。本発明はまた、他のどんな公共の場所にいるユーザに対しても音声情報を送信することに適用可能である。例えば、本発明は、公共のトイレ(サービス状態であるか使用状態であるかを示すため)から、ごみ箱(近さを示すため)から、又は他の任意の路面対象物又は固定されたものから、音声情報を配信することを可能にする。
【００１２】
ステーション1は、例えば、支持構造物3に置かれている屋根2を具備し、かつ、照明式表示パネル4、又は電子広告、又は情報表示を有してもよいシェルタの形式であってもよい。前記ステーション1はさらに、例えば、図２に示されるサーバ9(SERV)から受信された情報に基づいて、前記ステーションに到着する次のバス又は複数のバス及び待ち時間又は到着時刻についての情報を表示するために、例えば前記ステーションの屋根に統合されたデジタルサイン5を有してもよい。
【００１３】
前記ステーション1は、前記ステーション又は前記ステーション付近にいるユーザP(図１参照)、特に視覚的に悪いユーザの前記携帯電話7と情報を通信するための電気デバイスを備えている。問題となる情報は、前記ステーションに到着する次のバスについての上記情報、及び/又は一般情報又は情報の他の特定タイプを含む。
【００１４】
この電気デバイスは、例えば、表示パネル4、場合によってはデジタルサイン5、又はステーション1のその他の部分に統合されてもよく、かつ、前記電気デバイスは、例えば、
前記サーバ9と有線又は無線の方式で通信し、かつ前記サーバ9から受信された情報に基づいてデジタルサイン5(DISP)を制御する、例えばマイクロプロセッサ、又はマイクロコントローラ(CPU)のような電気処理ユニット8と、
前記ステーション1及び/又はその付近で、人間の耳では聞き取れない超音波信号を配信するように適合されたスピーカ6又は任意の音響変換器と
を具備する。
【００１５】
前記ユーザPの前記携帯電話7は、従来の方式において、
前記超音波信号を取得するように適合された少なくとも一つのマイク10(MICR)と、
前記マイク10によって取得された前記情報を受信する少なくとも一つの電気処理ユニット(CPU)と、
前記携帯電話7のイヤホン、又は、有線又は無線のイヤホンに統合されたスピーカである少なくとも一つの音響変換器12と
を具備する。
【００１６】
上記で説明されたシステムは、以下のように動作する。
【００１７】
ここに提案される実施例において、前記サーバは、ステーション1の処理ユニット8に情報を送信する。この情報は、ステーション1に到着する次のバス、及びバスの到着時刻及び/又は対応する待ち時間に関連する。前記処理ユニット8は、前記サーバ9から他の情報を受信してもよく、又は、メモリの中に情報を記憶させてもよく、前記情報は例えば一般情報(天気又はその他の一般的興味の対象)及び/又はステーション1の位置に関連する局所情報(例えば文化、娯楽、旅行情報、又は地域広告)である。
【００１８】
この情報は、前記ステーション1において、前記スピーカ6を介して、デジタル(又はアナログ変調によって変調されてもよい)で符号化された超音波信号の形式で、前記処理ユニット8によって配信される。前記超音波信号は、人間には聞き取ることができず、それゆえに、騒音公害を発生させず、かつ環境交通騒音から干渉をほとんど又は全く受けない。
【００１９】
ユーザPが、ステーション1にいるとき、かつユーザが、この目的のためにプログラムされた携帯電話7を有する場合、前記携帯電話は、そのマイク10で前記超音波信号を取得し、かつ前記携帯電話の前記処理ユニット11は、前記取得された超音波信号を復号するとともに、それを前記ユーザに理解可能な音声情報に変換し、ついで音響変換器12を介して前記音声情報を出力し、好適には前記ユーザPの耳に直接的に出力し、その結果、前記ユーザは、ステーション1の他人に迷惑をかけることなく前記情報をはっきりと受信することができる。
【００２０】
選択的に、前記携帯電話7の前記処理ユニット11は、前記超音波信号が受信されたとき、前記携帯電話が、まずベル音を発し又は振動し、ついで、前記携帯電話がユーザによって応答されるとすぐに前記音声情報が出力されるようにプログラムされる。
【００２１】
選択的に、前記処理ユニット11は、例えば前記取得された超音波信号を復号化するとともに、前記音声情報を出力することができる専用アプリケーションの起動のような前記ユーザによって開始された行為に応じて、前記音声情報を出力してもよい。
【００２２】
選択的には、前記ステーション1の前記処理ユニット8が、上述したような超音波の形式でいくつかのタイプの情報を配信するとき、前記携帯電話の前記処理ユニットは、ユーザが聞きたい情報のタイプ(例えば、次のバスについての情報、一般情報、又は局所情報)を前記ユーザに選択させるように、場合によっては音声命令(voice command)によってこれを選択させるようにプログラムされてもよい。
【００２３】
以上の結果、本発明は、公共の場所において目視で見ることができない情報の送信に特に適している。
【符号の説明】
【００２４】
１  ステーション
２  屋根
３  支持構造物
４  表示パネル
５  デジタルサイン
６  スピーカ
７  携帯電話
８  処理ユニット
９  サーバ
１０  マイク
１１  処理ユニット
１２  音響変換器
【図１】
2014217068.tif 000003
【図２】
2014217068.tif 000004
【外国語明細書】
2014217068000001.pdf